(57)【要約】【課題】植物を効果的に育成することができて、半永久的に使用可能な植物用育成促進材を提供すること。【解決手段】植物を栽培するための培地や土壌、水中に投入させることにより、植物の育成を促進可能な植物用育成促進材。植物用育成促進材は、セラミックスを主成分として構成されるとともに、低線量放射線を放射可能な放射性物質を含有させてなる。【選択図】なし【特許請求の範囲】
【請求項１】
植物を栽培するための培地や土壌、水中に投入させることにより、植物の育成を促進可能な植物用育成促進材であって、
セラミックスを主成分として構成されるとともに、低線量放射線を放射可能な放射性物質を含有させてなることを特徴とする植物育成促進材。
【請求項２】
前記放射性物質が、ラジウム及び／又はトリウムであることを特徴とする請求項１に記載の植物育成促進材。
【請求項３】
前記放射性物質を含有した原料として、モナザイト鉱石が使用されていることを特徴とする請求項１又は２に記載の植物育成促進材。
【請求項４】
前記モナザイト鉱石が、５〜３０重量％の範囲内で、含有されていることを特徴とする請求項３に記載の植物育成促進材
【請求項５】
切り花を挿す水中に投入して使用する切り花保持材であって、
セラミックスを主成分として、低線量放射線を放射可能な放射性物質を含有させて構成されるとともに、略球形状とされていることを特徴とする切り花保持材。
【発明の詳細な説明】
【技術分野】
【０００１】
本発明は、植物を栽培するための培地や土壌、水中に投入させることにより、植物の育成を促進可能な植物用育成促進材に関する。
【背景技術】
【０００２】
従来、植物用の育成促進剤としては、有効成分としてイノシンを含み、植物の根の育成を促進させる構成のものがあった（例えば、特許文献１参照）。
【先行技術文献】
【特許文献】
【０００３】
【特許文献１】特許第２９２７２６９号公報
【発明の概要】
【発明が解決しようとする課題】
【０００４】
この従来の植物用育成促進剤は、イノシンを用いて植物の根を育成促進させているが、イノシンは分解してしまうため、定期的に散布する必要があった。
【０００５】
本発明者らは、放射線ホルミシス効果に着目して、良好な植物育成効果を奏するとともに、効果を発揮する期間が長く、半永久的に使用可能な植物用育成促進材に想到したものである。
【０００６】
本発明は、上述の課題を解決するものであり、植物を効果的に育成することができて、半永久的に使用可能な植物用育成促進材を提供することを目的とする。
【課題を解決するための手段】
【０００７】
本発明に係る植物用育成促進材は、植物を栽培するための培地や土壌、水中に投入させることにより、植物の育成を促進可能な植物用育成促進材であって、
セラミックスを主成分として構成されるとともに、低線量放射線を放射可能な放射性物質を含有させてなることを特徴とする。
【０００８】
本発明の植物用育成促進材では、低線量放射線を放射可能な放射性物質を含有させて、常時低線量の放射線を放射させることにより、植物を効果的に育成促進させることができて、農作物等を効率よく栽培させることができる。また、本発明の植物用育成促進材は、有効成分として、低線量放射線を放射可能な放射性物質を含有させていることから、効果を発揮する期間が長く、半永久的に使用することができる。
【０００９】
したがって、本発明の植物用育成促進材は、植物を効果的に育成することができて、半永久的に使用することができる。
【００１０】
また、本発明の植物用育成促進材において、放射性物質として、取扱性が比較的良好なラジウム及び／又はトリウムを使用することが好ましく、特に、ラジウムやトリウムを含有した原料として、モナザイト鉱石を使用することが、望ましい。
【００１１】
具体的には、モナザイト鉱石を、５〜３０重量％の範囲内で、含有させることが好ましい。
【発明を実施するための形態】
【００１２】
以下、本発明の一実施形態を図面に基づいて説明する。実施形態の植物用育成促進材は、植物を栽培するための培地や土壌、水中に投入して使用されるもので、セラミックスを主成分として構成されるとともに、低線量放射線を放射可能な放射性物質を含有させて構成されている。
【００１３】
実施形態の植物用育成促進材は、窯業用の粘土を主成分として、この窯業用粘土に、低線量放射線を放射可能な放射性物質を含有する鉱石を混合させたものを、粒状や、球形状等の所定の形状に成形して、焼成することにより、形成されている。
【００１４】
窯業用粘土としては、陶磁器の製造に一般に用いられる窯業用の粘土を使用している。このような窯業用粘土には、シリカ、アルミナ、ジルコニア、マンガン、マグネシウム、カリウム、リン、カルシウム、セピオライト、ベントナイト、ゼオライト、セレン、セリウム、フェライト等や、これらの酸化物が、含有されている。
【００１５】
低線量放射線を放射可能な放射性物質を含有する鉱石としては、ジルコニア、カリウム、トルマリン、ラドン鉱石、タンタライト、燐鉱石、バストネサイト、フライアッシュ、ウラン鉱石、トリウム鉱石、チタン鉱石、モナザイト鉱石を挙げることができ、これらを一種又は二種以上混合させて使用することができる。これらの鉱石のうちで、トルマリン、ラドン鉱石、チタン鉱石、及び、モナザイト鉱石が、安全性が高く入手が容易であることから、使用することが好ましく、特に、入手が容易であり、比較的安価であることから、モナザイト鉱石（モナズ石とも呼ばれる）を、使用することが望ましい。
【００１６】
モナザイト鉱石は、セリウム、ランタン、ネオジウムを主成分とするもので、微量のトリウムやウランを含有している。このモナザイト鉱石は、ウラン及びトリウムや、トリウムの崩壊生成物であるラジウム、ラジウムの崩壊生成物であるラドン等を含有して、微量の放射能を有している。なお、モナザイト鉱石に含有されるトリウム（２３２Ｔｈ）は、半減期：１．４１×１０10年であり、ウラン（２３８Ｕ）は、半減期：４．４７×１０9年であり、ともに、半減に膨大な年数を必要とするため、モナザイト鉱石は半永久的に微量の放射能を有することとなる。
【００１７】
そして、実施形態では、具体的には、微細に粉砕したモナザイト鉱石を、セリウムやランタン、ネオジウム等の、希土類元素を含む粘土（以下、混合用粘土とする）に混合させた状態で、窯業用粘土に、混練させている。また、実施形態では、モナザイト鉱石と、混合用粘土と、は、モナザイト鉱石を、表面積を極力大きくした状態で、植物用育成促進材に含有させるために、微粉末状のものを使用することが望ましく、具体的には、粒径を、１０μｍ以下、望ましくは、０．１〜５．０μｍの範囲内のものを使用することが、望ましい。
【００１８】
モナザイト鉱石は、混合用粘土に対して、１０〜６０重量％（望ましくは、１５〜５０重量％、さらに望ましくは、２０〜４０重量％）の割合で混合されている。また、混合用粘土と窯業用粘土とは、混合比を、重量比で２：１〜１：２（望ましくは、２：３〜３：２）として、混合されている。そして、モナザイト鉱石は、５〜３０重量％（望ましくは、７〜２５重量％、さらに望ましくは、１０〜２０重量％）の範囲内で、植物用育成促進材に含有させることが好ましい。モナザイト鉱石の含有量が５重量％未満では、放射線の発生量が微量すぎて、充分な放射線放射効果を得られず、また、３０重量％を超えると、放射線放射量が多くなりすぎて、それ以上の効果を得られず、材料の無駄となるためである。
【００１９】
また、植物用育成促進材を、球形状とする場合、混合材を添加させてもよい。混合材としては、籾殻、米ぬか、ＣＮＣ（ナノセルロース）、ココナッツ、クルミや、コーンスターチ、大麦、小麦等のでんぷん類等を挙げることができ、また、釉薬等を混合させてもよい。具体的には、混合材として、砕いたココナッツやクルミ等、ある程度の大きさを有する粒状のものを使用することが、好ましい。このような混合材は、球形に成形した植物用育成促進材を焼成した際に、焼失することから、混合材を所定量混合させることにより、混合材の部分に空隙が生じ、焼成後の植物用育成促進材の表面積を増大させることができる。そして、表面積を増大させることにより、植物を栽培するための培地や土壌、水中に投入させた際に、培地や土壌、水等との接触面積を増大させることができて、より高い効果を得られることが可能となる。
【００２０】
実施形態の植物用育成促進材は、上述した窯業用粘土、モナザイト鉱石を含有させた混合用粘土、そして、必要に応じて、混合材を、混練させて、所定形状に成形し、所定時間乾燥後、焼成して、製造することができる。乾燥は、室温（２５℃）〜１８０℃の範囲内、望ましくは、８０〜１２０℃の範囲内の温度下で、所定時間（１０〜２０時間程度）、放置することにより、行われる。また、焼成は、８００〜１４００℃付近で、行われる。焼成時間は、成形した植物用育成促進材の大きさに拠るが、８００〜１４００℃で１６〜３０時間程度とされている。
【００２１】
次に、本発明の要件を満たす実施例の植物用育成促進材について、説明をする。実施例では、一般的な窯業用粘土（愛知県瀬戸市で採取）と、粒径を、０．８〜１０μｍとしたモナザイト鉱石を３５重量％含有させた混合用粘土（セリウム、ランタン、ネオジウム等を含有して、粒径を０．８〜１０μｍとされている）と、を、重量比で１：１の割合で混合させて、混練し、外径寸法を５．９６ｍｍの球形に成形したものを、５０℃下で１４時間乾燥させ、１２００℃で２４時間焼成させて、外形形状を略球形とされる植物用育成促進材（外径寸法；５．９６ｍｍ、体積：０．０１１１ｃｍ3、重量：０．３０４ｇ、密度：２．７４ｇ／ｃｍ3）を得た。
【００２２】
この実施例の植物用育成促進材の放射線放出量を、以下の方法で測定した。具体的には、実施例の植物用育成促進剤２９７粒を、試験皿に入れ、γ線測定器（シンチレーションサーベイメータ「ＴＣＳ−１７１」：日立アロカメディカル(株)製）により、γ線の線量を測定したところ、１．１μＳｖ／ｈを測定した。
【００２３】
また、実施例の植物用育成促進材のラドン放出量を、以下の方法で測定した。具体的には、実施例の植物用育成促進材２９７粒を、ステンレス製の試料皿に入れ、容積７０Ｌの高感度ラドンガス検出器に設置し、高感度ラドンガス検出器を密閉した後に、純空気Ｇ２（日本酸素株式会社製）を、２０Ｌ／minで３０分程度、高感度ラドンガス検出器内に龍入させて、高感度ラドンガス検出器内の気体を置換させた。その後、３９日間にわたり、実施例の植物用育成促進材からのラドンを測定したところ、３９日間にわたって、２１８Ｒｎの娘核種である２１４Ｐｏ、２２０Ｒｎの娘核種である２１６Ｐｏ、２２２Ｒｎの娘核種である２１８Ｐｏ、２１６Ｐｏの孫核種である２１２Ｂｉ、及び、２１２Ｂｉの娘核種である２１２Ｐｏを検出した。
【００２４】
上記試験から、実施例の植物用育成促進材は、常時、微量の放射線を放射していることがわかる。
【００２５】
次に、実施例の植物用育成促進材を用いて、植物の育成試験を行なった。詳細には、薔薇を１０株ずつ、肥料を加えていない状態のポリエステル製の培地に植栽した２つのプランターにおいて、一方のプランターには、各株の下に実施例の植物用育成促進材を５０ｇ（１６５粒程度）ずつ投入して、実施例とし、他方のプランターには、植物用育成促進材を投入せず、比較例として、２つのプランターを、ビニールハウス内で、４３日間、準水耕栽培により薔薇を育成させた。また、これら２つのプランターには、窒素、リン、カリウム、カルシウム、マグネシウム等を含有した液肥を、同量ずつ投入している。これら２つのプランターによる薔薇の育成結果を、表１に示す。
【００２６】
【表１】
2015073446.tif 000002
表１から、実施例の植物用育成促進材を使用した場合、植物用育成促進材を使用していない比較例と比較して、薔薇の育成状態が良好であり、植物の育成促進に大きな効果があることがわかった。
【００２７】
これは、実施例の植物用育成促進材から常時放射される微量の放射線が、所謂ホルミシス効果と同様に、薔薇の根に作用して、薔薇の根に適度な刺激を与え、根の細胞の代謝を向上させて、成長を促すことにより、根による養分吸収力を向上させることができて、植物の育成を促進させることができるためであると、推測される。また、実施例の植物用育成促進材は、微量放射線の放射によりマイナスイオンを発生させるとともに、トリウムの崩壊生成物であるラジウムから、高い遠赤外線も、常時放射されることとなる（遠赤外線席分放射率：８０〜９０％程度）。そして、これらのマイナスイオンや遠赤外線も、薔薇の根に適度な刺激を与えて、薔薇の育成促進に寄与していると推測される。
【００２８】
上記各種試験の結果から、セラミックスを主成分として構成されるとともに、低線量放射線を放射可能な放射性物質を含有させて構成される実施形態の植物用育成促進材は、植物を効果的に育成促進させることができて、農作物等を効率よく栽培させることができる。また、必要最低限の肥料で、植物を良好に育成できることから、化学肥料の使用を低減あるいは停止させることができて、有機栽培や無農薬栽培にも有効に使用することができる。また、実施形態の植物用育成促進材は、有効成分として、低線量放射線を放射可能な放射性物質を含有させていることから、効果を発揮する期間が長く、半永久的に使用することができる。
【００２９】
したがって、実施形態の植物用育成促進材は、植物を効果的に育成することができて、半永久的に使用することができる。
【００３０】
また、放射性物質として、取扱性が比較的良好なラジウム及び／又はトリウムを使用することが好ましく、特に、ラジウムやトリウムを含有した原料として、入手が容易で、かつ、比較的安価なモナザイト鉱石を使用することが望ましい。
【００３１】
この実施例の植物用育成促進材は、半永久的に使用することができることから、植物育成後に回収し、洗浄や乾燥させて、保存すれば、繰り返し使用することができる。
【００３２】
実施形態の植物用育成促進材は、植物を培地や土壌に植えて栽培する場合のみならず、水を常時循環させる水耕栽培にも、良好な効果を発揮するものである。水耕栽培においては、植物用育成促進材から常時放射される微量の放射線と、遠赤外線と、が、水耕栽培される植物の根に、適度な刺激を与えて、根の成長を促すことができるのと同時に、植物用育成促進材から常時放射される微量の放射線とマイナスイオンとが、殺菌作用を奏して、水に雑菌が繁殖することを抑制することとなる。そのため、従来の水耕栽培で必要とされていた常時新しい水を流入させる工程が不要となって、水を適宜補充させることのみで、植物を栽培させることができる。その結果、植物を効率よく育成でき、かつ、従来使用していたモーターやポンプ等を使用しなくともよく、製造コストも大幅に低減させることが可能となる。
【００３３】
また、実施形態の植物用育成促進材は、切り花を挿す水中に投入して使用してもよい。容器に満たした水に実施例の植物用育成促進材を３粒投入した状態で切り花を挿したものと、比較例として、植物用育成促進材を投入していない状態の容器の水中に切り花を挿したものと、を、１０日間常温下（室温：３０℃前後）で放置する試験を行なった。この試験結果において、植物用育成促進材を投入していない比較例の容器に刺した花は、完全に枯れてしまい、水も雑菌が大量に繁殖して、濁ってしまった。これに対し、実施例の植物用育成促進材を投入した容器に刺した花は、やや萎れる程度で、かつ、水に濁りも生じなかった。この試験からも、実施形態の植物用育成促進材から放射される微量の放射線や、マイナスイオンが、水に雑菌が繁殖することを抑制していることがわかる。したがって、実施形態の植物用育成促進材は、切り花保持材として使用しても、良好な効果を得ることができる。切り花保持材として使用する場合にも、半永久的に使用することができることから、使用後に回収し、洗浄や乾燥させて、保存すれば、繰り返し使用することができる。
【００３４】
なお、植物栽培用や切り花保持用に使用する際の投入量は、栽培する植物等に応じて、適宜変更可能である。